(57)【特許請求の範囲】
【請求項１】
車両の運転者による運転操作を評価する際の指標となる評価情報を取得する評価情報取得手段と、
前記評価情報取得手段により取得された評価情報と所定の評価基準とに基づき、前記車両の走行経路における出発地から初回評価地点までの区間、及び当該初回評価地点から所定距離毎の各評価区間における、前記運転者による運転操作を評価する評価手段と、
前記車両の今回の走行経路における目的地と過去の走行経路における目的地とが同一であって、当該今回の走行経路における出発地が当該過去の走行経路における出発地を含む所定範囲内に存在する場合に、当該車両の今回の走行経路と当該過去の走行経路とが同一と判定する走行経路判定手段と、
前記走行経路判定手段により前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価手段による評価結果に影響を与える特性を示す特性値を特定し、当該特定した各特性値に基づき、当該今回の走行経路における出発地から当該初回評価地点までの区間に対応する前記評価基準を設定する評価基準設定手段と、
を備えるナビゲーションシステム。
【請求項２】
前記評価基準設定手段は、前記車両の過去の走行経路における出発地を含む前記所定範囲の外周と当該車両の走行経路とが交わる地点を、前記初回評価地点として設定する、
請求項１に記載のナビゲーションシステム。
【請求項３】
前記評価基準設定手段は、前記走行経路判定手段により前記車両の今回の走行経路と過去の走行経路とが同一と判定された場合、当該過去の走行経路における出発地を含む前記所定範囲内において当該走行経路の出発地となり得る各出発地候補から前記初回評価地点までの各経路と、当該今回の走行経路における出発地から当該初回評価地点までの経路とのそれぞれについて、前記特性値を特定し、当該特定した各特性値に基づき、当該今回の走行経路における出発地から当該初回評価地点までの区間に対応する前記評価基準を設定する、
請求項１又は２に記載のナビゲーションシステム。
【請求項４】
前記評価基準設定手段は、前記走行経路判定手段により前記車両の今回の走行経路と過去の走行経路とが同一と判定された場合、前記各出発地候補から前記初回評価地点までの各経路について特定した各特性値の平均値と、当該今回の走行経路における出発地から当該初回評価地点までの経路について特定した特性値との差分に基づき、当該今回の走行経路における出発地から当該初回評価地点までの区間に対応する前記評価基準を設定する、
請求項３に記載のナビゲーションシステム。
【請求項５】
前記評価基準設定手段は、前記走行経路判定手段により前記車両の今回の走行経路と過去の走行経路とが同一と判定された場合、前記過去の走行経路における出発地から前記初回評価地点までの経路について特定した特性値と、前記今回の走行経路における出発地から当該初回評価地点までの経路について特定した特性値との差分に基づき、当該今回の走行経路における出発地から当該初回評価地点までの区間に対応する前記評価基準を設定する、
請求項１又は２に記載のナビゲーションシステム。
【請求項６】
評価情報取得手段が、車両の運転者による運転操作を評価する際の指標となる評価情報を取得する評価情報取得ステップと、
評価手段が、前記評価情報取得ステップで取得された評価情報と所定の評価基準とに基づき、前記車両の走行経路における出発地から初回評価地点までの区間、及び当該初回評価地点から所定距離毎の各評価区間における、前記運転者による運転操作を評価する評価ステップと、
走行経路判定手段が、前記車両の今回の走行経路における目的地と過去の走行経路における目的地とが同一であって、当該今回の走行経路にける出発地が当該過去の走行経路における出発地を含む所定範囲内に存在する場合に、当該車両の今回の走行経路と当該過去の走行経路とが同一と判定する走行経路判定ステップと、
評価基準設定手段が、前記走行経路判定ステップで前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価ステップにおける評価結果に影響を与える特性を示す特性値を特定し、当該特定した各特性値に基づき、当該今回の走行経路における出発地から当該初回評価地点までの区間に対応する前記評価基準を設定する評価基準設定ステップと、
を含むナビゲーション方法。
【請求項７】
コンピュータを、
車両の運転者による運転操作を評価する際の指標となる評価情報を取得する評価情報取得手段と、
前記評価情報取得手段により取得された評価情報と所定の評価基準とに基づき、前記車両の走行経路における出発地から初回評価地点までの区間、及び当該初回評価地点から所定距離毎の各評価区間における、前記運転者による運転操作を評価する評価手段と、
前記車両の今回の走行経路における目的地と過去の走行経路における目的地とが同一であって、当該今回の走行経路における出発地が当該過去の走行経路における出発地を含む所定範囲内に存在する場合に、当該車両の今回の走行経路と当該過去の走行経路とが同一と判定する走行経路判定手段と、
前記走行経路判定手段により前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価手段による評価結果に影響を与える特性を示す特性値を特定し、当該特定した各特性値に基づき、当該今回の走行経路における出発地から当該初回評価地点までの区間に対応する前記評価基準を設定する評価基準設定手段と、
として機能させるためのナビゲーションプログラム。
【発明の詳細な説明】
【技術分野】
【０００１】
本発明は、ナビゲーションシステム、ナビゲーション方法、及びナビゲーションプログラムに関する。
【背景技術】
【０００２】
従来、車両の走行経路を案内するナビゲーションシステムが用いられている。近年では、燃料費節約や環境保全の観点から省燃費走行への要求が高まっており、車両の走行における燃費低減を目的とした案内を行うナビゲーションシステムも提案されている。
【０００３】
例えば、燃費改善のために注意して運転すべき区間をユーザが具体的に把握できるようにするため、自車の走行軌跡において基準燃料消費量を上回る燃料を自車が消費したリンクを識別できるように、当該リンクを地図上で強調表示するナビゲーション装置が提案されている。このナビゲーション装置では、過去の走行における燃料消費量に基づき基準燃料消費量を算出し、今回の走行において当該基準燃料消費量を上回る燃料を自車が消費したリンクを地図上で強調表示する（例えば、特許文献１参照）。
【先行技術文献】
【特許文献】
【０００４】
【特許文献１】特開２０１１−３３４４７号公報
【発明の概要】
【発明が解決しようとする課題】
【０００５】
上述の如き従来の装置では、過去の走行における燃料消費量と今回の走行における燃料消費量との比較結果を地図上に表示するが、運転者による運転操作が燃費低減にどの程度適しているのかを評価した結果を、過去の走行と今回の走行とのそれぞれについて画面に表示することで、ユーザ自身が各評価結果を対比できるようにすることも考えられる。このように、過去の走行における運転操作の評価結果と今回の走行における運転操作の評価結果とを対比可能なように画面に表示する場合、今回の走行経路と同一の走行経路を過去に自車が走行したか否かを判定する必要がある。例えば、車両の今回の走行経路における目的地と過去の走行経路における目的地とが同一であって、今回の走行経路における出発地が過去の走行経路における出発地を含む所定範囲内に存在する場合に、今回の走行経路と過去の走行経路とが同一とすることが考えられる。この場合、今回の走行経路と過去の走行経路とでは、所定範囲内において出発地が異なっている場合がある。そのため、運転者による運転操作を所定距離の評価区間毎に評価する場合、今回の走行と過去の走行とでは出発地のずれに応じて評価区間における走行距離や経路コストにずれが生じることにより、各評価区間における評価結果に影響が生じる可能性があった。その結果、過去の評価結果と今回の評価結果とを公平に比較できない可能性があった。
【０００６】
本発明は、上記に鑑みてなされたものであって、過去の評価結果と今回の評価結果とを公平に比較できる、ナビゲーションシステム、ナビゲーション方法、及びナビゲーションプログラムを提供することを目的とする。
【課題を解決するための手段】
【０００７】
上述した課題を解決し、目的を達成するために、請求項１に記載のナビゲーションシステムは、車両の運転者による運転操作を評価する際の指標となる評価情報を取得する評価情報取得手段と、前記評価情報取得手段により取得された評価情報と所定の評価基準とに基づき、前記車両の走行経路における出発地から初回評価地点までの区間、及び当該初回評価地点から所定距離毎の各評価区間における、前記運転者による運転操作を評価する評価手段と、前記車両の今回の走行経路における目的地と過去の走行経路における目的地とが同一であって、当該今回の走行経路における出発地が当該過去の走行経路における出発地を含む所定範囲内に存在する場合に、当該車両の今回の走行経路と当該過去の走行経路とが同一と判定する走行経路判定手段と、前記走行経路判定手段により前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価手段による評価結果に影響を与える特性を示す特性値を特定し、当該特定した各特性値に基づき、当該今回の走行経路における出発地から当該初回評価地点までの区間に対応する前記評価基準を設定する評価基準設定手段と、を備える。
【０００８】
また、請求項２に記載のナビゲーションシステムは、請求項１に記載のナビゲーションシステムにおいて、前記評価基準設定手段は、前記車両の過去の走行経路における出発地を含む前記所定範囲の外周と当該車両の走行経路とが交わる地点を、前記初回評価地点として設定する。
【０００９】
また、請求項３に記載のナビゲーションシステムは、請求項１又は２に記載のナビゲーションシステムにおいて、前記評価基準設定手段は、前記走行経路判定手段により前記車両の今回の走行経路と過去の走行経路とが同一と判定された場合、当該過去の走行経路における出発地を含む前記所定範囲内において当該走行経路の出発地となり得る各出発地候補から前記初回評価地点までの各経路と、当該今回の走行経路における出発地から当該初回評価地点までの経路とのそれぞれについて、前記特性値を特定し、当該特定した各特性値に基づき、当該今回の走行経路における出発地から当該初回評価地点までの区間に対応する前記評価基準を設定する。
【００１０】
また、請求項４に記載のナビゲーションシステムは、請求項３に記載のナビゲーションシステムにおいて、前記評価基準設定手段は、前記走行経路判定手段により前記車両の今回の走行経路と過去の走行経路とが同一と判定された場合、前記各出発地候補から前記初回評価地点までの各経路について特定した各特性値の平均値と、当該今回の走行経路における出発地から当該初回評価地点までの経路について特定した特性値との差分に基づき、当該今回の走行経路における出発地から当該初回評価地点までの区間に対応する前記評価基準を設定する。
【００１１】
また、請求項５に記載のナビゲーションシステムは、請求項１又は２に記載のナビゲーションシステムにおいて、前記評価基準設定手段は、前記走行経路判定手段により前記車両の今回の走行経路と過去の走行経路とが同一と判定された場合、前記過去の走行経路における出発地から前記初回評価地点までの経路について特定した特性値と、前記今回の走行経路における出発地から当該初回評価地点までの経路について特定した特性値との差分に基づき、当該今回の走行経路における出発地から当該初回評価地点までの区間に対応する前記評価基準を設定する。
【００１２】
また、請求項６に記載のナビゲーション方法は、評価情報取得手段が、車両の運転者による運転操作を評価する際の指標となる評価情報を取得する評価情報取得ステップと、評価手段が、前記評価情報取得ステップで取得された評価情報と所定の評価基準とに基づき、前記車両の走行経路における出発地から初回評価地点までの区間、及び当該初回評価地点から所定距離毎の各評価区間における、前記運転者による運転操作を評価する評価ステップと、走行経路判定手段が、前記車両の今回の走行経路における目的地と過去の走行経路における目的地とが同一であって、当該今回の走行経路にける出発地が当該過去の走行経路における出発地を含む所定範囲内に存在する場合に、当該車両の今回の走行経路と当該過去の走行経路とが同一と判定する走行経路判定ステップと、評価基準設定手段が、前記走行経路判定ステップで前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価ステップにおける評価結果に影響を与える特性を示す特性値を特定し、当該特定した各特性値に基づき、当該今回の走行経路における出発地から当該初回評価地点までの区間に対応する前記評価基準を設定する評価基準設定ステップと、を含む。
【００１３】
また、請求項７に記載のナビゲーションプログラムは、コンピュータを、車両の運転者による運転操作を評価する際の指標となる評価情報を取得する評価情報取得手段と、前記評価情報取得手段により取得された評価情報と所定の評価基準とに基づき、前記車両の走行経路における出発地から初回評価地点までの区間、及び当該初回評価地点から所定距離毎の各評価区間における、前記運転者による運転操作を評価する評価手段と、前記車両の今回の走行経路における目的地と過去の走行経路における目的地とが同一であって、当該今回の走行経路における出発地が当該過去の走行経路における出発地を含む所定範囲内に存在する場合に、当該車両の今回の走行経路と当該過去の走行経路とが同一と判定する走行経路判定手段と、前記走行経路判定手段により前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価手段による評価結果に影響を与える特性を示す特性値を特定し、当該特定した各特性値に基づき、当該今回の走行経路における出発地から当該初回評価地点までの区間に対応する前記評価基準を設定する評価基準設定手段と、として機能させる。
【発明の効果】
【００１４】
請求項１に記載のナビゲーションシステム、請求項６に記載のナビゲーション方法、及び請求項７に記載のナビゲーションプログラムによれば、評価基準設定手段は、走行経路判定手段により車両の今回の走行経路と過去の走行経路とが同一と判定された場合、今回の走行経路における初回評価地点を、過去の走行経路における初回評価地点と同じ位置に設定し、過去の走行経路における出発地から初回評価地点までの経路と、今回の走行経路における出発地から初回評価地点までの経路とのそれぞれについて、評価手段による評価結果に影響を与える特性を示す特性値を特定し、当該特定した各特性値に基づき、今回の走行経路における出発地から初回評価地点までの区間に対応する評価基準を設定するので、評価結果に影響を与える特性を示す特性値を考慮した上で、今回の走行経路と過去の走行経路とのそれぞれについて出発地から共通の初回評価地点までの区間における運転操作を評価することができ、過去の評価結果と今回の評価結果とを公平に比較することができる。
【００１５】
また、請求項２に記載のナビゲーションシステムによれば、評価基準設定手段は、車両の過去の走行経路における出発地を含む所定範囲の外周と当該車両の走行経路とが交わる地点を、初回評価地点として設定するので、今回の走行経路と過去の走行経路との共通の初回評価地点として適切な地点を設定することができる。
【００１６】
また、請求項３に記載のナビゲーションシステムによれば、評価基準設定手段は、走行経路判定手段により車両の今回の走行経路と過去の走行経路とが同一と判定された場合、過去の走行経路における出発地を含む所定範囲内において当該走行経路の出発地となり得る各出発地候補から初回評価地点までの各経路と、今回の走行経路における出発地から初回評価地点までの経路とのそれぞれについて、特性値を特定し、当該特定した各特性値に基づき、今回の走行経路における出発地から初回評価地点までの区間に対応する評価基準を設定するので、各出発地候補及び今回の出発地から共通の初回評価地点までの各経路における特性値を考慮した上で、今回の走行経路における出発地から初回評価地点までの区間における運転操作を評価することができ、過去の評価結果と今回の評価結果とを一層公平に比較することができる。
【００１７】
また、請求項４に記載のナビゲーションシステムによれば、評価基準設定手段は、走行経路判定手段により車両の今回の走行経路と過去の走行経路とが同一と判定された場合、各出発地候補から初回評価地点までの各経路について特定した各特性値の平均値と、今回の走行経路における出発地から初回評価地点までの経路について特定した特性値との差分に基づき、今回の走行経路における出発地から初回評価地点までの区間に対応する評価基準を設定するので、各出発地候補及び今回の出発地から共通の初回評価地点までの各経路における特性値の平均値を基準として、今回の走行経路における出発地から初回評価地点までの区間における運転操作を評価することができ、過去の評価結果と今回の評価結果とを一層公平に比較することができる。
【００１８】
また、請求項５に記載のナビゲーションシステムによれば、評価基準設定手段は、走行経路判定手段により車両の今回の走行経路と過去の走行経路とが同一と判定された場合、過去の走行経路における出発地から初回評価地点までの経路について特定した特性値と、今回の走行経路における出発地から初回評価地点までの経路について特定した特性値との差分に基づき、今回の走行経路における出発地から初回評価地点までの区間に対応する評価基準を設定するので、過去の出発地及び今回の出発地から共通の初回評価地点までの各経路における特性値を考慮した上で、今回の走行経路における出発地から初回評価地点までの区間における運転操作を評価することができ、過去の評価結果と今回の評価結果とを一層公平に比較することができる。
【図面の簡単な説明】
【００１９】
【図１】実施の形態に係るナビゲーションシステムを例示するブロック図である。
【図２】ナビゲーション処理のフローチャートである。
【図３】評価基準テーブル作成処理のフローチャートである。
【図４】走行経路における出発地及び各出発地候補から初回評価地点までの各経路における特性値を概念的に示した平面図であり、図４（ａ）は特性値として経路の走行距離を用いる場合を示す図、図４（ｂ）は特性値として経路の経路コストを用いる場合を示す図である。
【図５】評価基準テーブルに格納されている情報を例示した表であり、図５（ａ）は特性値として走行距離を用いた場合を示す表、図５（ｂ）は特性値として経路コストを用いた場合を示す表である。
【図６】評価基準設定処理のフローチャートである。
【発明を実施するための形態】
【００２０】
以下、本発明に係るナビゲーションシステム、ナビゲーション方法、及びナビゲーションプログラムの実施の形態について図面を参照しつつ詳細に説明する。ただし、この実施の形態によって本発明が限定されるものではない。
【００２１】
（構成）
最初に、ナビゲーションシステムの構成について説明する。図１は、本実施の形態に係るナビゲーションシステムを例示するブロック図である。ナビゲーションシステム１は例えば車両に搭載されており、図１に示すように、ＥＣＵ２（Ｅｌｅｃｔｒｏｎｉｃ  Ｃｏｎｔｒｏｌ  Ｕｎｉｔ）、現在位置検出処理部３、操作部４、ディスプレイ５、及びスピーカ６に接続されている。
【００２２】
（構成−ＥＣＵ）
ＥＣＵ２は、車両の各部の状態を各種センサを介して監視し、車両のエンジンやモータジェネレータ等の動力系、トランスミッション、駆動系、制動系等（いずれも図示省略）の車両の各部を制御する。例えば、車軸の回転数に比例する車速パルス信号を車速センサから取得してトランスミッションを制御したり、Ｏ２センサから取得した排気ガス中の酸素濃度等に基づいて燃料噴射装置（図示省略）を制御する。このＥＣＵ２から、車速パルス信号や燃料噴射量等の各種情報がナビゲーションシステム１に入力される。
【００２３】
（構成−現在位置検出処理部）
現在位置検出処理部３は、車両の現在位置を検出する現在位置検出手段である。具体的には、現在位置検出処理部３は、ＧＰＳ、地磁気センサ、距離センサ、又はジャイロセンサ（いずれも図示省略）の少なくとも一つを有し、現在の車両の位置（座標）及び方位等を公知の方法にて検出する。
【００２４】
（構成−操作部）
操作部４は、ユーザによる操作入力を受け付ける操作手段である。この操作部４の具体的な構成は任意であり、例えば、ディスプレイ５の前面に設けたタッチパネル、押しボタン、リモートコントローラの如き遠隔操作手段、あるいは、音声入力を受け付けるマイクの如き音声認識手段を用いて操作部４を構成することができる。
【００２５】
（構成−ディスプレイ）
ディスプレイ５は、ナビゲーションシステム１の制御に基づいて各種情報の表示出力を行う出力手段である。なお、このディスプレイ５の具体的な構成は任意であり、公知の液晶ディスプレイや有機ＥＬディスプレイの如きフラットパネルディスプレイを使用することができる。
【００２６】
（構成−スピーカ）
スピーカ６は、ナビゲーションシステム１の制御に基づいて各種の音声を出力する出力手段である。スピーカ６より出力される音声の具体的な態様は任意であり、必要に応じて生成された合成音声や、予め録音された音声を出力することができる。
【００２７】
（構成−ナビゲーションシステム）
ナビゲーションシステム１は、制御部１０、及びデータ記録部２０を備えている。
【００２８】
（構成−ナビゲーションシステム−制御部）
制御部１０は、ナビゲーションシステム１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係るナビゲーションプログラムは、任意の記録媒体又はネットワークを介してナビゲーションシステム１にインストールされることで、制御部１０の各部を実質的に構成する。
【００２９】
この制御部１０は、機能概念的に、評価情報取得部１１、評価部１２、走行経路判定部１３、及び評価基準設定部１４を備えている。評価情報取得部１１は、車両の運転者による運転操作を評価する際の指標となる評価情報を取得する評価情報取得手段である。例えば、運転者による運転操作が燃費向上に適したものであるか否かを示すエコランプが車両のメーターパネル（図示省略）内に表示される場合において、評価情報取得部１１は、ＥＣＵ２等からエコランプの点消灯状態を特定するための情報を評価情報として取得し、ＲＡＭ等の記憶手段（図示省略）に記録する。評価部１２は、運転者による運転操作を評価する評価手段である。例えば評価部１２は、運転者による運転操作を評価するための各評価区間について評価情報取得部１１により取得された評価情報に基づき、各評価区間においてエコランプが点灯した状態で車両が走行した合計距離を算出する。そして、当該算出した距離を、各評価区間の距離で除した値（すなわち、評価区間において運転者による運転操作が燃費向上に適していた際の車両の走行距離が占める割合）が所定の評価基準以上の場合に、当該評価区間における運転者による運転操作が燃費向上に適していると評価し、所定の評価基準未満の場合に、当該評価区間における運転者による運転操作が燃費向上に適していないと評価する。走行経路判定部１３は、車両の今回の走行経路と過去の走行経路とが同一か否かを判定する走行経路判定手段である。評価基準設定部１４は、評価部１２が車両の運転者による運転操作を評価する際の基準となる評価基準を設定する評価基準設定手段である。これらの制御部１０の各部によって実行される処理の詳細については後述する。
【００３０】
（構成−ナビゲーションシステム−データ記録部）
データ記録部２０は、ナビゲーションシステム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３１】
このデータ記録部２０は、地図情報データベース２１（以下、データベースをＤＢと略記する）、及び評価基準テーブル２２を備えている。
【００３２】
地図情報ＤＢ２１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、施設データ（各施設の位置、各施設の種別等）、地形データ、地図をディスプレイ５に表示するための地図表示データ等を含んで構成されている。
【００３３】
評価基準テーブル２２は、各出発地候補を一意に識別する出発地候補情報と、各出発地候補から初回評価地点までの各区間に対応する評価基準を特定する評価基準情報とを、相互に関連付けて格納する評価基準情報格納手段である。なお、この評価基準テーブル２２に格納される各情報の具体的な内容や、評価基準テーブル２２に各情報が格納されるタイミング等については後述する。
【００３４】
（処理−ナビゲーション処理）
次に、このように構成されたナビゲーションシステム１によって実行されるナビゲーション処理について説明する。図２はナビゲーション処理のフローチャートである（以下の各処理の説明ではステップを「Ｓ」と略記する）。このナビゲーション処理は、例えば、ナビゲーションシステム１に電源が投入された場合に開始される。
【００３５】
ナビゲーション処理が開始されると、走行経路判定部１３は、操作部４を介した操作入力により車両の走行の目的地が設定されるまで待機する（ＳＡ１、Ｎｏ）。ここで、「目的地の設定」とは、操作部４を介した操作入力により最終目的地が設定される場合の他、既に設定されている複数の目的地が操作部４を介した操作入力により並べ替えられ、異なる目的地が最終目的地として設定される場合、あるいは、既に設定されている最終目的地が消去され、他の目的地が最終目的地として設定される場合等も含む。
【００３６】
目的地が設定されると（ＳＡ１、Ｙｅｓ）、走行経路判定部１３は、今回の出発地（例えば現在位置検出処理部３により検出された現在位置）からＳＡ１で設定された目的地までの走行経路と同一の走行経路を車両が過去に走行したか否かを判定する（ＳＡ２）。具体的には、走行経路判定部１３は、車両の今回の走行経路における目的地と過去の走行経路における目的地とが同一であって、今回の走行経路における出発地が過去の走行経路における出発地を含む所定範囲内（例えば、過去の走行経路における出発地を中心とする半径３００ｍの円内）に存在する場合に、当該車両の今回の走行経路と当該過去の走行経路とが同一と判定する。
【００３７】
その結果、今回の出発地からＳＡ１で設定された目的地までの走行経路と同一の走行経路を車両が過去に走行していない場合（ＳＡ２、Ｎｏ）、すなわち、今回の出発地からＳＡ１で設定された目的地までの走行経路を車両が初めて走行する場合、評価基準設定部１４は、評価基準テーブル作成処理を実行する（ＳＡ３）。
【００３８】
（処理−評価基準テーブル作成処理）
ここで、評価基準テーブル作成処理について説明する。図３は、評価基準テーブル作成処理のフローチャートである。この図３に示すように、評価基準テーブル作成処理が開始されると、評価基準設定部１４は初回評価地点を設定する（ＳＢ１）。ここで「初回評価地点」とは、走行経路における出発地を車両が出発した後、最初に当該車両の運転者による運転操作を評価する対象となる区間の終点である。例えば評価基準設定部１４は、今回の走行経路における出発地を含む所定範囲（例えば、今回の走行経路における出発地を中心とする半径３００ｍの円）の外周と当該車両の走行経路とが交わる地点を、初回評価地点として設定する。あるいは、走行経路に沿って出発地から所定距離（例えば３００ｍ）走行した地点を、初回評価地点として設定するようにしてもよい。
【００３９】
次に、評価基準設定部１４は、今回の走行経路における出発地を含む所定範囲内（例えば、今回の走行経路における出発地を中心とする半径３００ｍの円内）において、走行経路の他の出発地となり得る出発地候補を特定する（ＳＢ２）。例えば評価基準設定部１４は、今回の走行経路における出発地を含む所定範囲内に存在する所定施設（例えば駐車場や商業施設等）を、出発地候補として特定する。この場合、今回の走行経路における出発地と属性が関連する施設（例えば今回の走行経路における出発地が会社Ｐの駐車場である場合、当該会社Ｐに関連する施設）のみを出発地候補として特定するようにしてもよい。また、今回の走行経路における出発地を含む所定範囲内に存在する各ノードを、出発地候補として特定してもよい。
【００４０】
続いて評価基準設定部１４は、ＳＢ２で特定した各出発地候補からＳＢ１で設定した初回評価地点までの各経路と、今回の走行経路における出発地から初回評価地点までの経路とのそれぞれについて、評価部１２による評価結果に影響を与える特性を示す特性値を特定する（ＳＢ３）。ここで「評価部１２による評価結果に影響を与える特性を示す特性値」とは、運転者による運転操作が燃費向上に適したものであるか否かを評価部１２が評価する際に、当該評価結果に影響を与える経路の特性を示す値である。例えば経路の走行距離が長くなるほど、その経路において車両が一定の速度で走行できる区間の占める割合が大きくなる（すなわち、車両を加速させるためにアクセル開度を大きくする区間の占める割合が小さくなる）ことから、運転者による運転操作が燃費向上に適したものであると評価されやすくなる。従って、各経路の走行距離を、評価部１２による評価結果に影響を与える特性を示す特性値として用いることができる。また、経路における経路コスト（例えば、経路における信号交差点数や経路における登り勾配等に応じて算出される値）が低くなるほど（例えば信号交差点数が少なくなるほど、あるいは登り勾配の道路が少なくなるほど）、その経路において車両が一定の速度で走行できる区間の占める割合が大きくなる（すなわち、車両を加速させるためにアクセル開度を大きくする区間の占める割合が小さくなる）ことから、運転者による運転操作が燃費向上に適したものであると評価されやすくなる。従って、各経路の経路コストを、評価部１２による評価結果に影響を与える特性を示す特性値として用いてもよい。
【００４１】
図４は走行経路における出発地及び各出発地候補から初回評価地点までの各経路における特性値を概念的に示した平面図であり、図４（ａ）は特性値として経路の走行距離を用いる場合を示す図、図４（ｂ）は特性値として経路の経路コストを用いる場合を示す図である。図４の例では、今回の走行経路における出発地Ａを含む半径３００ｍの円内に、出発地候補Ｂ、Ｃ、Ｄ、及びＥが存在している。また、出発地Ａを中心とする半径３００ｍの円の外周と車両の走行経路とが交わる地点Ｆが、初回評価地点として設定されている。図４（ａ）では、出発地Ａから初回評価地点Ｆまでの経路における特性値としての走行距離が３００ｍ、出発地候補Ｂから初回評価地点Ｆまでの経路における特性値としての走行距離が４００ｍ、出発地候補Ｃから初回評価地点Ｆまでの経路における特性値としての走行距離が５００ｍ、出発地候補Ｄから初回評価地点Ｆまでの経路における特性値としての走行距離が２００ｍ、出発地候補Ｅから初回評価地点Ｆまでの経路における特性値としての走行距離が１００ｍと特定される。また図４（ｂ）では、出発地Ａから初回評価地点Ｆまでの経路における特性値としての経路コストが２、出発地候補Ｂから初回評価地点Ｆまでの経路における特性値としての経路コストが３、出発地候補Ｃから初回評価地点Ｆまでの経路における特性値としての経路コストが５、出発地候補Ｄから初回評価地点Ｆまでの経路における特性値としての経路コストが４、出発地候補Ｅから初回評価地点Ｆまでの経路における特性値としての経路コストが１と特定される。
【００４２】
図３に戻り、ＳＢ３の処理の後、評価基準設定部１４は、ＳＢ３で特定した各出発地候補から初回評価地点までの各経路の特性値と、今回の走行経路における出発地から初回評価地点までの経路の特性値との平均値を算出する（ＳＢ４）。図４（ａ）の例では、各経路の特性値（走行距離）の平均値＝｛（ＡからＦまでの走行距離３００ｍ）＋（ＢからＦまでの走行距離４００ｍ）＋（ＣからＦまでの走行距離５００ｍ）＋（ＤからＦまでの走行距離２００ｍ）＋（ＥからＦまでの走行距離１００ｍ）｝／５＝３００ｍと算出される。また、図４（ｂ）の例では、各経路の特性値（経路コスト）の平均値＝｛（ＡからＦまでの経路コスト２）＋（ＢからＦまでの経路コスト３）＋（ＣからＦまでの経路コスト５）＋（ＤからＦまでの経路コスト４）＋（ＥからＦまでの経路コスト１）｝／５＝３と算出される。
【００４３】
図３に戻り、ＳＢ４の処理の後、評価基準設定部１４は、各出発地候補から初回評価地点までの各区間に対応する評価基準と、今回の走行経路における出発地から初回評価地点までの区間に対応する評価基準とを設定し（ＳＢ５）、各区間を一意に識別する識別情報と、各区間に対応して設定した評価基準を特定する評価基準情報とを相互に関連付けて、評価基準テーブル２２に格納する（ＳＢ６）。なお、この評価基準テーブル２２には、走行経路を特定する情報として、例えば今回の走行経路における出発地と目的地との組み合わせを特定する情報が付加される。さらに、今回の走行における初回評価地点、及び、各出発地候補から初回評価地点までの各経路の特性値と今回の走行経路における出発地から初回評価地点までの経路の特性値との平均値を特定する情報も、評価基準テーブル２２に付加されるものとする。
【００４４】
ＳＢ５において、評価基準設定部１４は、ＳＢ４で算出した各出発地候補及び今回の走行経路における出発地から初回評価地点までの各経路の特性値の平均値と、各出発地候補及び今回の走行経路における出発地から初回評価地点までの各経路の特性値との差分に基づき、当該各出発地候補及び今回の走行経路における出発地から初回評価地点までの各区間に対応する評価基準を設定する。ここで「評価基準」とは、運転者による運転操作が燃費向上に適したものであるか否かを、評価区間毎に評価部１２が評価する際の基準である。例えば評価部１２は、評価区間において運転者による運転操作が燃費向上に適していた際（すなわちエコランプが点灯した状態）の車両の走行距離が占める割合が所定の評価基準以上か否かに基づき、当該評価区間における運転操作が燃費向上に適したものであるか否かを評価する。
【００４５】
図５は評価基準テーブル２２に格納されている情報を例示した表であり、図５（ａ）は特性値として走行距離を用いた場合を示す表、図５（ｂ）は特性値として経路コストを用いた場合を示す表である。この図５に示すように、評価基準テーブル２２には、項目「出発地」「特性値」「差分」及び「評価基準」に対応する情報が相互に関連付けて格納されている。項目「出発地」に対応して格納される情報は、各出発地候補から初回評価地点までの各区間、及び今回の走行経路における出発地から初回評価地点までの区間を一意に識別する識別情報であり、例えば各出発地候補又は今回の走行経路における出発地の名称が格納される（図５では「Ａ」等）。項目「特性値」に対応して格納される情報は、特性値を特定するための情報である（図５では「２００」等）。項目「差分」に対応して格納される情報は、各経路の特性値から各経路の特性値の平均値を減算した差分（以下、必要に応じて「特性値の差分」）を特定するための情報である（図５では「−１００」等）。項目「評価基準」に対応して格納される情報は、各区間に対応して設定した評価基準を特定する評価基準情報である（図５では「８５％」等）。
【００４６】
例えば走行距離を特性値として用いる場合、評価基準設定部１４は、特性値の差分が大きくなるほど（すなわち出発地又は出発地候補から初回評価地点までの走行距離が長くなるほど）、評価基準が大きくなるように（すなわち、運転者による運転操作が燃費向上に適していると評価されにくくなるように）設定する。例えば評価基準設定部１４は、特性値の差分が−５０ｍ以上５０ｍ未満の場合には所定の標準評価基準（例えば９０％）を評価基準として設定する。また、特性値の差分が５０ｍ以上１５０ｍ未満の場合には所定の標準評価基準を５％増加させた値（例えば９５％）を評価基準として設定する。また、特性値の差分が１５０ｍ以上の場合には所定の標準評価基準を１０％増加させた値（例えば１００％）を評価基準として設定する。また、特性値の差分が−１５０ｍ以上−５０ｍ未満の場合には所定の標準評価基準を５％減少させた値（例えば８５％）を評価基準として設定する。また、特性値の差分が−１５０ｍ未満の場合には所定の標準評価基準を１０％減少させた値（例えば８０％）を評価基準として設定する。
【００４７】
図４（ａ）の例では、ＳＢ４において、各経路の特性値（走行距離）の平均値が３００ｍと算出されている。これに対し、出発地Ａから初回評価地点Ｆまでの経路における特性値としての走行距離が３００ｍであることから、特性値の差分は０ｍと算出される。従って、図５（ａ）に示すように、今回の走行経路における出発地Ａから初回評価地点Ｆまでの区間に対応する評価基準は所定の標準評価基準である９０％と設定される。また、出発地候補Ｂから初回評価地点Ｆまでの経路における特性値としての走行距離は４００ｍであることから、特性値の差分は＋１００ｍと算出される。従って、図５（ａ）に示すように、出発地候補Ｂから初回評価地点Ｆまでの区間に対応する評価基準は９５％と設定される。また、出発地候補Ｃから初回評価地点Ｆまでの経路における特性値としての走行距離は５００ｍであることから、特性値の差分は＋２００ｍと算出される。従って、図５（ａ）に示すように、出発地候補Ｃから初回評価地点Ｆまでの区間に対応する評価基準は１００％と設定される。また、出発地候補Ｄから初回評価地点Ｆまでの経路における特性値としての走行距離は２００ｍであることから、特性値の差分は−１００ｍと算出される。従って、図５（ａ）に示すように、出発地候補Ｄから初回評価地点Ｆまでの区間に対応する評価基準は８５％と設定される。また、出発地候補Ｅから初回評価地点Ｆまでの経路における特性値としての走行距離は１００ｍであることから、特性値の差分は−２００ｍと算出される。従って、図５（ａ）に示すように、出発地候補Ｅから初回評価地点Ｆまでの区間に対応する評価基準は８０％と設定される。
【００４８】
また、経路コストを特性値として用いる場合、評価基準設定部１４は、特性値の差分が小さくなるほど（すなわち出発地又は出発地候補から初回評価地点までの経路コストが小さくなるほど）、評価基準が大きくなるように（すなわち、運転者による運転操作が燃費向上に適していると評価されにくくなるように）設定する。例えば評価基準設定部１４は、特性値の差分が−０．５以上０．５未満の場合には所定の標準評価基準（例えば９０％）を評価基準として設定する。また、特性値の差分が０．５以上１．５未満の場合には所定の標準評価基準を５％減少させた値（例えば８５％）を評価基準として設定する。また、特性値の差分が１．５以上の場合には所定の標準評価基準を１０％減少させた値（例えば８０％）を評価基準として設定する。また、特性値の差分が−１．５以上−０．５未満の場合には所定の標準評価基準を５％増加させた値（例えば９５％）を評価基準として設定する。また、特性値の差分が−１．５未満の場合には所定の標準評価基準を１０％増加させた値（例えば１００％）を評価基準として設定する。
【００４９】
図４（ｂ）の例では、ＳＢ４において、各経路の特性値（走行距離）の平均値が３と算出されている。これに対し、出発地Ａから初回評価地点Ｆまでの経路における特性値としての経路コストが２であることから、特性値の差分は−１と算出される。従って、図５（ｂ）に示すように、今回の走行経路における出発地Ａから初回評価地点Ｆまでの区間に対応する評価基準は９５％と設定される。また、出発地候補Ｂから初回評価地点Ｆまでの経路における特性値としての経路コストは３であることから、特性値の差分は０と算出される。従って、図５（ｂ）に示すように、出発地候補Ｂから初回評価地点Ｆまでの区間に対応する評価基準は所定の標準評価基準である９０％と設定される。また、出発地候補Ｃから初回評価地点Ｆまでの経路における特性値としての経路コストは５であることから、特性値の差分は＋２と算出される。従って、図５（ｂ）に示すように、出発地候補Ｃから初回評価地点Ｆまでの区間に対応する評価基準は８０％と設定される。また、出発地候補Ｄから初回評価地点Ｆまでの経路における特性値としての経路コストは４であることから、特性値の差分は＋１と算出される。従って、図５（ｂ）に示すように、出発地候補Ｄから初回評価地点Ｆまでの区間に対応する評価基準は８５％と設定される。また、出発地候補Ｅから初回評価地点Ｆまでの経路における特性値としての経路コストは１であることから、特性値の差分は−２と算出される。従って、図５（ｂ）に示すように、出発地候補Ｅから初回評価地点Ｆまでの区間に対応する評価基準は１００％と設定される。
【００５０】
図３に戻り、ＳＢ６の処理の後、制御部１０は評価基準テーブル作成処理を終了し、メインルーチンに戻る。
【００５１】
図２に戻り、ＳＡ２の処理において、今回の出発地からＳＡ１で設定された目的地までの走行経路と同一の走行経路を車両が過去に走行した場合（ＳＡ２、Ｙｅｓ）、評価基準設定部１４は、評価基準設定処理を実行する（ＳＡ４）。
【００５２】
（処理−評価基準設定処理）
ここで、評価基準設定処理について説明する。図６は、評価基準設定処理のフローチャートである。この図６に示すように、評価基準設定処理が開始されると、評価基準設定部１４は、今回の走行経路における初回評価地点を、図２のＳＡ２で今回の走行経路と同一と判定された走行経路における初回評価地点と同じ位置に設定し、今回の走行経路における出発地から当該初回評価地点までの経路についての特性値を特定する（ＳＣ１）。例えば評価基準設定部１４は、今回の出発地から図２のＳＡ１で設定された目的地までの走行経路と同一と判定された過去の走行経路に対応する評価基準テーブル２２に付加されている情報に基づき、当該過去の走行経路における初回評価地点を特定し、当該初回評価地点を今回の走行経路における初回評価地点として設定し、今回の走行経路における出発地から当該初回評価地点までの経路についての特性値を特定する。
【００５３】
次に、評価基準設定部１４は、今回の走行経路における出発地から初回評価地点までの区間に対応する評価基準を設定する（ＳＣ２）。具体的には、評価基準設定部１４は、図２のＳＡ２で今回の走行経路と同一と判定された走行経路における各出発地候補から初回評価地点までの各経路について特定した各特性値の平均値と、今回の走行経路における出発地から初回評価地点までの経路の特性値との差分に基づき、今回の走行経路における出発地から初回評価地点までの区間に対応する評価基準を設定する。
【００５４】
例えば評価基準設定部１４は、今回の出発地から図２のＳＡ１で設定された目的地までの走行経路と同一と判定された走行経路に対応する評価基準テーブル２２を参照し、ＳＣ１で特定した今回の走行経路における出発地から初回評価地点までの経路についての特性値に対応する評価基準を特定し、当該評価基準を今回の走行経路における出発地から初回評価地点までの区間に対応する評価基準として設定する。
【００５５】
例えば、今回の出発地から図２のＳＡ１で設定された目的地までの走行経路と同一と判定された走行経路に対応する評価基準テーブル２２として図５（ａ）に例示した評価基準テーブル２２を参照した場合において、今回の出発地から初回の評価地点までの経路における特性値としての走行距離が４００ｍである場合（すなわち特性値の平均値３００ｍとの差分が＋１００ｍである場合）、図５（ａ）によれば評価基準は９５％と設定される。
【００５６】
また、今回の出発地から図２のＳＡ１で設定された目的地までの走行経路と同一と判定された走行経路に対応する評価基準テーブル２２として図５（ｂ）に例示した評価基準テーブル２２を参照した場合において、今回の出発地から初回の評価地点までの経路における特性値としての経路コストが５である場合（すなわち特性値の平均値３との差分が＋２である場合）、図５（ｂ）によれば評価基準は８０％と設定される。
【００５７】
また、評価基準設定部１４が、今回の出発地から図２のＳＡ１で設定された目的地までの走行経路と同一と判定された走行経路に対応する評価基準テーブル２２を参照し、ＳＣ１で特定した今回の走行経路における出発地に対応する評価基準を特定するようにしてもよい。
【００５８】
例えば、今回の出発地から図２のＳＡ１で設定された目的地までの走行経路と同一と判定された走行経路に対応する評価基準テーブル２２として図５（ａ）に例示した評価基準テーブル２２を参照した場合において、今回の出発地がＢである場合、図５（ａ）によれば評価基準は９５％と設定される。
【００５９】
また、今回の出発地から図２のＳＡ１で設定された目的地までの走行経路と同一と判定された走行経路に対応する評価基準テーブル２２として図５（ｂ）に例示した評価基準テーブル２２を参照した場合において、今回の出発地がＣである場合、図５（ｂ）によれば評価基準は８０％と設定される。
【００６０】
なお、ＳＣ１で特定した今回の走行経路における出発地から初回評価地点までの経路についての特性値と同一の特性値に対応する評価基準が評価基準テーブル２２に格納されていない場合や、ＳＣ１で特定した今回の走行経路における出発地と同一の出発地に対応する評価基準が評価基準テーブル２２に格納されていない場合には、今回の走行経路における出発地から初回評価地点までの経路についての特性値に最も近い特性値に対応する評価基準を評価基準テーブル２２から取得するようにしてもよい。
【００６１】
図６に戻り、ＳＣ２の処理の後、制御部１０は評価基準設定処理を終了し、メインルーチンに戻る。
【００６２】
図２に戻り、ＳＡ３又はＳＡ４の処理の後、制御部１０は今回の出発地からＳＡ１で設定された目的地までの経路案内を開始する（ＳＡ５）。なお、出発地から目的地までの経路探索や、当該探索結果に基づく経路案内の具体的な内容については、公知の経路探索方法や経路案内方法を用いることができるため、詳細な説明を省略する。このＳＡ５で経路案内が開始された後、評価情報取得部１１は、ＥＣＵ２等からエコランプの点消灯状態を特定するための情報を評価情報として逐次取得し、ＲＡＭ等の記憶手段に記録する。
【００６３】
続いて評価部１２は、現在位置検出処理部３により検出された現在位置に基づき、今回の走行経路における初回評価地点に車両が到達するまで待機する（ＳＡ６、Ｎｏ）。
【００６４】
車両が今回の走行経路における初回評価地点に到達した場合（ＳＡ６、Ｙｅｓ）、評価部１２は、評価情報取得部１１により出発地から初回評価地点までの区間で取得された評価情報と、図３のＳＢ５又は図６のＳＣ２で設定した今回の走行経路における出発地から初回評価地点までの区間に対応する評価基準とに基づき、今回の走行経路における出発地から初回評価地点までの区間の運転者による運転操作を評価する（ＳＡ７）。具体的には、評価部１２は、今回の走行経路における出発地から初回評価地点までの区間について評価情報取得部１１により取得された評価情報に基づき、当該区間においてエコランプが点灯した状態で車両が走行した合計距離を算出する。そして、当該算出した距離を、当該区間の距離で除した値（すなわち、当該区間において運転者による運転操作が燃費向上に適していた際の車両の走行距離が占める割合）が、図３のＳＢ５又は図６のＳＣ２で設定した今回の走行経路における出発地から初回評価地点までの区間に対応する評価基準以上の場合に、当該区間における運転者による運転操作が燃費向上に適していると評価し、当該評価基準未満の場合に、当該区間における運転者による運転操作が燃費向上に適していないと評価する。例えば、今回の走行経路における出発地から初回評価地点までの区間において運転者による運転操作が燃費向上に適していた際の車両の走行距離が占める割合が９２％であり、図３のＳＢ５又は図６のＳＣ２で設定した今回の走行経路における出発地から初回評価地点までの区間に対応する評価基準が９５％である場合、評価部１２は、当該区間における運転者による運転操作が燃費向上に適していないと評価する。また、評価部１２は、当該評価部１２による評価結果を、ディスプレイ５に表示されている地図上における、今回の走行経路における出発地から初回評価地点までの区間に対応する位置（例えば初回評価地点の位置）に重畳表示させる。
【００６５】
続いて評価部１２は、現在位置検出処理部３により検出された現在位置に基づき、運転者による運転操作を最後に評価してから車両が所定距離（例えば１００ｍ）を走行するまで待機する（ＳＡ８、Ｎｏ）。
【００６６】
運転者による運転操作を最後に評価してから車両が所定距離を走行した場合（ＳＡ８、Ｙｅｓ）、評価部１２は、運転者による運転操作を最後に評価した地点から所定距離の評価区間において評価情報取得部１１により取得された評価情報と、標準評価基準（例えば９０％）とに基づき、当該評価区間における運転者による運転操作を評価する（ＳＡ９）。具体的には、評価部１２は、運転者による運転操作を最後に評価した地点から所定距離の評価区間について評価情報取得部１１により取得された評価情報に基づき、当該評価区間においてエコランプが点灯した状態で車両が走行した合計距離を算出する。そして、当該算出した距離を、当該評価区間の距離で除した値（すなわち、当該評価区間において運転者による運転操作が燃費向上に適していた際の車両の走行距離が占める割合）が、標準評価基準以上の場合に、当該評価区間における運転者による運転操作が燃費向上に適していると評価し、標準評価基準未満の場合に、当該評価区間における運転者による運転操作が燃費向上に適していないと評価する。例えば、当該評価区間において運転者による運転操作が燃費向上に適していた際の車両の走行距離が占める割合が９２％であり、標準評価基準が９０％である場合、評価部１２は、当該区間における運転者による運転操作が燃費向上に適していると評価する。また、評価部１２は、当該評価部１２による評価結果を、ディスプレイ５に表示されている地図上における、当該評価区間に対応する位置（例えば評価区間の終点の位置）に重畳表示させる。
【００６７】
次に評価部１２は、現在位置検出処理部３により検出された現在位置に基づき、ＳＡ１で設定された目的地に車両が到着したか否かを判定する（ＳＡ１０）。
【００６８】
その結果、目的地に車両が到着していない場合（ＳＡ１０、Ｎｏ）、ＳＡ８に戻る。以降、目的地に車両が到着するまで、ＳＡ８からＳＡ１０の処理を繰り返す。
【００６９】
一方、ＳＡ１で設定された目的地に車両が到着した場合（ＳＡ１０、Ｙｅｓ）、制御部１０はナビゲーション処理を終了する。
【００７０】
（効果）
このように本実施の形態によれば、評価基準設定部１４は、走行経路判定部１３により車両の今回の走行経路と過去の走行経路とが同一と判定された場合、今回の走行経路における初回評価地点を、過去の走行経路における初回評価地点と同じ位置に設定し、過去の走行経路における出発地から初回評価地点までの経路と、今回の走行経路における出発地から初回評価地点までの経路とのそれぞれについて、評価部１２による評価結果に影響を与える特性を示す特性値を特定し、当該特定した各特性値に基づき、今回の走行経路における出発地から初回評価地点までの区間に対応する評価基準を設定するので、評価結果に影響を与える特性を示す特性値を考慮した上で、今回の走行経路と過去の走行経路とのそれぞれについて出発地から共通の初回評価地点までの区間における運転操作を評価することができ、過去の評価結果と今回の評価結果とを公平に比較することができる。
【００７１】
また、評価基準設定部１４は、車両の過去の走行経路における出発地を含む所定範囲の外周と当該車両の走行経路とが交わる地点を、初回評価地点として設定するので、今回の走行経路と過去の走行経路との共通の初回評価地点として適切な地点を設定することができる。
【００７２】
また、評価基準設定部１４は、走行経路判定部１３により車両の今回の走行経路と過去の走行経路とが同一と判定された場合、過去の走行経路における出発地を含む所定範囲内において当該走行経路の出発地となり得る各出発地候補から初回評価地点までの各経路と、今回の走行経路における出発地から初回評価地点までの経路とのそれぞれについて、特性値を特定し、当該特定した各特性値に基づき、今回の走行経路における出発地から初回評価地点までの区間に対応する評価基準を設定するので、各出発地候補及び今回の出発地から共通の初回評価地点までの各経路における特性値を考慮した上で、今回の走行経路における出発地から初回評価地点までの区間における運転操作を評価することができ、過去の評価結果と今回の評価結果とを一層公平に比較することができる。
【００７３】
また、評価基準設定部１４は、走行経路判定部１３により車両の今回の走行経路と過去の走行経路とが同一と判定された場合、各出発地候補から初回評価地点までの各経路について特定した各特性値の平均値と、今回の走行経路における出発地から初回評価地点までの経路について特定した特性値との差分に基づき、今回の走行経路における出発地から初回評価地点までの区間に対応する評価基準を設定するので、各出発地候補及び今回の出発地から共通の初回評価地点までの各経路における特性値の平均値を基準として、今回の走行経路における出発地から初回評価地点までの区間における運転操作を評価することができ、過去の評価結果と今回の評価結果とを一層公平に比較することができる。
【００７４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００７６】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、ナビゲーションシステム１を一体の装置として車両に搭載してもよく、あるいは、ナビゲーションシステム１の一部又は全部（例えば、制御部１０における評価部１２や、データ記録部２０における評価基準テーブル２２等）を、ネットワークを介して車両と通信可能に接続されたセンター装置に設けることとしてもよい。
【００７７】
（評価情報取得部について）
上述の実施の形態では、評価情報取得部１１は、ＥＣＵ２等からエコランプの点消灯状態を特定するための情報を取得する場合を例として説明したが、アクセル開度、ブレーキ踏力、動力源の使用状況等を特定するための情報をＥＣＵ２から直接取得し、当該取得した情報に基づき、運転者による運転操作が燃費向上に適したものであるか否かを当該評価情報取得部１１が逐次判定するようにしてもよい。
【００７８】
（ナビゲーション処理について）
上述の実施の形態では、図２で示したナビゲーション処理において、評価基準設定部１４は、各出発地候補から初回評価地点までの各経路について特定した各特性値の平均値と、今回の走行経路における出発地から初回評価地点までの経路について特定した特性値との差分に基づき、今回の走行経路における出発地から初回評価地点までの区間に対応する評価基準を設定すると説明したが、これとは異なる方法により今回の走行経路における出発地から初回評価地点までの区間に対応する評価基準を設定してもよい。
【００７９】
例えば、図２で示したナビゲーション処理におけるＳＡ３の処理を省略し、今回の出発地からＳＡ１で設定された目的地までの走行経路と同一の走行経路を車両が過去に走行していない場合（ＳＡ２、Ｎｏ）、すなわち、今回の出発地からＳＡ１で設定された目的地までの走行経路を車両が初めて走行する場合には、標準評価基準を今回の走行経路における出発地から初回評価地点までの区間に対応する評価基準として設定する。
【００８０】
一方、今回の出発地からＳＡ１で設定された目的地までの走行経路と同一の走行経路を車両が過去に走行した場合には（ＳＡ２、Ｙｅｓ）、図６で示した評価基準設定処理のＳＣ２において、評価基準設定部１４は、過去の走行経路における出発地から初回評価地点までの経路について特定した特性値と、今回の走行経路における出発地から初回評価地点までの経路について特定した特性値との差分に基づき、今回の走行経路における出発地から初回評価地点までの区間に対応する評価基準を設定する。例えば走行距離を特性値として用いる場合、評価基準設定部１４は、過去の走行経路における出発地から初回評価地点までの経路について特定した特性値と、今回の走行経路における出発地から初回評価地点までの経路について特定した特性値との差分が、−５０ｍ以上５０ｍ未満の場合には、所定の標準評価基準（例えば９０％）を評価基準として設定する。また、特性値の差分が５０ｍ以上１５０ｍ未満の場合には所定の標準評価基準を５％増加させた値（例えば９５％）を評価基準として設定する。また、特性値の差分が１５０ｍ以上の場合には所定の標準評価基準を１０％増加させた値（例えば１００％）を評価基準として設定する。また、特性値の差分が−１５０ｍ以上−５０ｍ未満の場合には所定の標準評価基準を５％減少させた値（例えば８５％）を評価基準として設定する。また、特性値の差分が−１５０ｍ未満の場合には所定の標準評価基準を１０％減少させた値（例えば８０％）を評価基準として設定する。
【００８１】
このように、評価基準設定部１４は、走行経路判定部１３により車両の今回の走行経路と過去の走行経路とが同一と判定された場合、過去の走行経路における出発地から初回評価地点までの経路について特定した特性値と、今回の走行経路における出発地から初回評価地点までの経路について特定した特性値との差分に基づき、今回の走行経路における出発地から初回評価地点までの区間に対応する評価基準を設定するので、過去の出発地及び今回の出発地から共通の初回評価地点までの各経路における特性値を考慮した上で、今回の走行経路における出発地から初回評価地点までの区間における運転操作を評価することができ、過去の評価結果と今回の評価結果とを一層公平に比較することができる。
（付記）
付記１のナビゲーションシステムは、車両の運転者による運転操作を評価する際の指標となる評価情報を取得する評価情報取得手段と、前記評価情報取得手段により取得された評価情報と所定の評価基準とに基づき、前記車両の走行経路における出発地から初回評価地点までの区間、及び当該初回評価地点から所定距離毎の各評価区間における、前記運転者による運転操作を評価する評価手段と、前記車両の今回の走行経路における目的地と過去の走行経路における目的地とが同一であって、当該今回の走行経路における出発地が当該過去の走行経路における出発地を含む所定範囲内に存在する場合に、当該車両の今回の走行経路と当該過去の走行経路とが同一と判定する走行経路判定手段と、前記走行経路判定手段により前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価手段による評価結果に影響を与える特性を示す特性値を特定し、当該特定した各特性値に基づき、当該今回の走行経路における出発地から当該初回評価地点までの区間に対応する前記評価基準を設定する評価基準設定手段と、を備える。
付記２のナビゲーションシステムは、付記１に記載のナビゲーションシステムにおいて、前記評価基準設定手段は、前記車両の過去の走行経路における出発地を含む前記所定範囲の外周と当該車両の走行経路とが交わる地点を、前記初回評価地点として設定する。
付記３のナビゲーションシステムは、付記１又は２に記載のナビゲーションシステムにおいて、前記評価基準設定手段は、前記走行経路判定手段により前記車両の今回の走行経路と過去の走行経路とが同一と判定された場合、当該過去の走行経路における出発地を含む前記所定範囲内において当該走行経路の出発地となり得る各出発地候補から前記初回評価地点までの各経路と、当該今回の走行経路における出発地から当該初回評価地点までの経路とのそれぞれについて、前記特性値を特定し、当該特定した各特性値に基づき、当該今回の走行経路における出発地から当該初回評価地点までの区間に対応する前記評価基準を設定する。
付記４のナビゲーションシステムは、付記３に記載のナビゲーションシステムにおいて、前記評価基準設定手段は、前記走行経路判定手段により前記車両の今回の走行経路と過去の走行経路とが同一と判定された場合、前記各出発地候補から前記初回評価地点までの各経路について特定した各特性値の平均値と、当該今回の走行経路における出発地から当該初回評価地点までの経路について特定した特性値との差分に基づき、当該今回の走行経路における出発地から当該初回評価地点までの区間に対応する前記評価基準を設定する。
付記５のナビゲーションシステムは、付記１又は２に記載のナビゲーションシステムにおいて、前記評価基準設定手段は、前記走行経路判定手段により前記車両の今回の走行経路と過去の走行経路とが同一と判定された場合、前記過去の走行経路における出発地から前記初回評価地点までの経路について特定した特性値と、前記今回の走行経路における出発地から当該初回評価地点までの経路について特定した特性値との差分に基づき、当該今回の走行経路における出発地から当該初回評価地点までの区間に対応する前記評価基準を設定する。
付記６のナビゲーション方法は、車両の運転者による運転操作を評価する際の指標となる評価情報を取得する評価情報取得ステップと、前記評価情報取得ステップで取得された評価情報と所定の評価基準とに基づき、前記車両の走行経路における出発地から初回評価地点までの区間、及び当該初回評価地点から所定距離毎の各評価区間における、前記運転者による運転操作を評価する評価ステップと、前記車両の今回の走行経路における目的地と過去の走行経路における目的地とが同一であって、当該今回の走行経路にける出発地が当該過去の走行経路における出発地を含む所定範囲内に存在する場合に、当該車両の今回の走行経路と当該過去の走行経路とが同一と判定する走行経路判定ステップと、前記走行経路判定ステップで前記車両の今回の走行経路と過去の走行経路とが同一と判定された場合、当該今回の走行経路における前記初回評価地点を、当該過去の走行経路における前記初回評価地点と同じ位置に設定し、当該過去の走行経路における出発地から当該初回評価地点までの経路と、当該今回の走行経路における出発地から当該初回評価地点までの経路とのそれぞれについて、前記評価ステップにおける評価結果に影響を与える特性を示す特性値を特定し、当該特定した各特性値に基づき、当該今回の走行経路における出発地から当該初回評価地点までの区間に対応する前記評価基準を設定する評価基準設定ステップと、を含む。
付記７のナビゲーションプログラムは、付記６に記載の方法をコンピュータに実行させる。
【符号の説明】
【００８２】
１  ナビゲーションシステム
２  ＥＣＵ
３  現在位置検出処理部
４  操作部
５  ディスプレイ
６  スピーカ
１０  制御部
１１  評価情報取得部
１２  評価部
１３  走行経路判定部
１４  評価基準設定部
２０  データ記録部
２１  地図情報ＤＢ
２２  評価基準テーブル
【図１】
0005782907.tif 000002
【図２】
0005782907.tif 000003
【図３】
0005782907.tif 000004
【図４】
0005782907.tif 000005
【図５】
0005782907.tif 000006
【図６】
0005782907.tif 000007